【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
複数の電子部品を制御する制御手段と、
前記制御手段から出力される制御信号に基づいて、前記電子部品を駆動させるための駆動信号を出力する出力手段と、を備え、
前記出力手段は、制御信号の入力を受けてから所定期間経過後に駆動信号の出力を停止する停止手段を含み、
前記制御手段は、制御信号を出力し前記所定期間を越えて前記電子部品を継続して駆動させる場合、該制御信号を出力してから前記所定期間が経過するまでの間に、再び制御信号を出力し、
前記出力手段は、入力を受けた制御信号を他の出力手段に出力することが可能であり、
前記出力手段が入力を受けた制御信号を前記他の出力手段に出力するときの出力状態を、所定態様により波形が立ち上がる第１出力状態と、該第１出力状態よりも緩やかな変化態様により波形が立ち上がる第２出力状態と、のいずれかの出力状態に設定可能であり、当該出力手段と同一基板内に前記他の出力手段が設けられている場合に、前記第２出力状態に設定されている
ことを特徴とする遊技機。
【請求項２】
遊技が可能な遊技機であって、
複数の電子部品を制御する制御手段と、
前記制御手段から出力される制御信号に基づいて、前記電子部品を駆動させるための駆動信号を出力する出力手段と、を備え、
前記出力手段は、制御信号の入力を受けてから所定期間経過後に駆動信号の出力を停止する停止手段を含み、
前記制御手段は、制御信号を出力し前記所定期間を越えて前記電子部品を継続して駆動させる場合、該制御信号を出力してから前記所定期間が経過するまでの間に、再び制御信号を出力し、
前記出力手段は、入力を受けた制御信号を他の出力手段に出力することが可能であり、
前記出力手段が入力を受けた制御信号を前記他の出力手段に出力するときの出力状態を、所定態様により波形が立ち上がる第１出力状態と、該第１出力状態よりも緩やかな変化態様により波形が立ち上がる第２出力状態と、のいずれかの出力状態に設定可能であり、当該出力手段が設けられている基板と配線部材を介して接続された他の基板に前記他の出力手段が設けられている場合に、前記第１出力状態に設定されている
ことを特徴とする遊技機。
【手続補正２】
【補正対象書類名】明細書
【補正対象項目名】０００２
【補正方法】変更
【補正の内容】
【０００２】
パチンコ遊技機やスロットマシン等の遊技機では、例えば、遊技機に設けられるモータとして、電圧パルスが個別に供給される複数の励磁コイルを有するステッピングモータを使用するものが提案されている。
【手続補正３】
【補正対象書類名】明細書
【補正対象項目名】０００３
【補正方法】変更
【補正の内容】
【０００３】
この種の遊技機として、例えば、ステッピングモータの動作を制御するための制御信号に応じてステッピングモータの各励磁コイルに電圧パルス信号が個別に供給され、そして、電圧パルス信号が各励磁コイルとともに並行入力され、該並行入力された各電圧パルス信号の入力状態に対応する単一信号であるフィードバック信号に基づいて、ステッピングモータの動作異常が判定されるもの等があった（例えば、特許文献１参照）。
【手続補正４】
【補正対象書類名】明細書
【補正対象項目名】０００４
【補正方法】変更
【補正の内容】
【０００４】
【特許文献１】特開２０１１−１０４１４７号公報
【手続補正５】
【補正対象書類名】明細書
【補正対象項目名】０００５
【補正方法】変更
【補正の内容】
【０００５】
しかし、この遊技機に設けられるモータでは、ステッピングモータ等の電子部品の動作を制御する制御信号が、意図せずに途切れてしまった場合には、電子部品の動作が不安定化する可能性があった。
【手続補正６】
【補正対象書類名】明細書
【補正対象項目名】０００６
【補正方法】変更
【補正の内容】
【０００６】
本発明は、このような問題点に着目してなされたもので、遊技機に設けられた電子部品をより安定して動作させることが可能な遊技機を提供することを目的とする。
【手続補正７】
【補正対象書類名】明細書
【補正対象項目名】０００７
【補正方法】変更
【補正の内容】
【０００７】
前記課題を解決するために、本発明の遊技機は、
遊技が可能な遊技機（例えば、パチンコ遊技機１、パチンコ遊技機９０１等）であって、
複数の電子部品（例えば、駆動機構９０２０１（各種モータ）、ソレノイド、センサ、第２ランプ部９０２０２、第３ランプ部９０２０３、第４ランプ部９０２０４、第５ランプ部９０２０５等）を制御する制御手段（例えば、演出制御用ＣＰＵ９０１２０、ＶＤＰ９０１２３Ａ、専用ＩＣ等）と、
前記制御手段から出力される制御信号に基づいて、前記電子部品を駆動させるための駆動信号を出力する出力手段（例えば、シリアル・パラレル変換ＩＣ９０９１Ｂ〜９０９５Ｂ等）と、を備え、
前記出力手段は、制御信号の入力を受けて（例えば、図２７の時刻ｔ１）から所定期間（例えば、図２７の所定期間Ｔ）経過後に駆動信号の出力を停止する停止手段（図２７：タイムアウト機能）を含み、
前記制御手段は、制御信号を出力し前記所定期間を越えて前記電子部品を継続して駆動させる場合、再び制御信号を出力してから前記所定期間が経過するまでの間（例えば、時刻ｔ１から所定期間Ｔが経過するまでの間）に、該制御信号を出力し、
前記出力手段は、入力を受けた制御信号を他の出力手段に出力することが可能であり、
前記出力手段が入力を受けた制御信号を前記他の出力手段に出力するときの出力状態を、所定態様により波形が立ち上がる第１出力状態と、該第１出力状態よりも緩やかな変化態様により波形が立ち上がる第２出力状態と、のいずれかの出力状態に設定可能であり、当該出力手段と同一基板内に前記他の出力手段が設けられている場合に、前記第２出力状態に設定されていることを特徴としている。
また、本発明の他の遊技機は、
遊技が可能な遊技機であって、
複数の電子部品を制御する制御手段と、
前記制御手段から出力される制御信号に基づいて、前記電子部品を駆動させるための駆動信号を出力する出力手段と、を備え、
前記出力手段は、制御信号の入力を受けてから所定期間経過後に駆動信号の出力を停止する停止手段を含み、
前記制御手段は、制御信号を出力し前記所定期間を越えて前記電子部品を継続して駆動させる場合、該制御信号を出力してから前記所定期間が経過するまでの間に、再び制御信号を出力し、
前記出力手段は、入力を受けた制御信号を他の出力手段に出力することが可能であり、
前記出力手段が入力を受けた制御信号を前記他の出力手段に出力するときの出力状態を、所定態様により波形が立ち上がる第１出力状態と、該第１出力状態よりも緩やかな変化態様により波形が立ち上がる第２出力状態と、のいずれかの出力状態に設定可能であり、当該出力手段が設けられている基板と配線部材を介して接続された他の基板に前記他の出力手段が設けられている場合に、前記第１出力状態に設定されていることを特徴としている。
上記構成によると、電子部品の動作不具合を回避することができるため、電子部品をより安定して制御することができる。
【手続補正８】
【補正対象書類名】明細書
【補正対象項目名】０００８
【補正方法】変更
【補正の内容】
【０００８】
前記課題を解決するために、手段１の遊技機は、
遊技が可能な遊技機（例えば、パチンコ遊技機１、パチンコ遊技機９０１等）であって、
第１位置と該第１位置とは異なる第２位置との間で移動可能な移動体（例えば、可動体３０２）と、
前記移動体が前記第１位置から前記第２位置へ移動したときに該移動体の前記第１位置と反対側への移動を規制する第１規制部（例えば、駆動体３１０Ｌ，３１０Ｒ）と、
前記第１規制部により前記移動体の移動が前記第２位置にて規制されたときに該移動体の前記第１位置と反対側への移動を前記第１規制部を介して規制する第２規制部（例えば、カバー部材３０７Ｌ，３０７Ｒの下部３３６Ｌ，３３６Ｒ）と、
前記移動体と前記第１規制部との間で生じる衝撃を緩和する第１衝撃緩和手段（例えば、第１弾性部材３３４Ｌ，３３４Ｒ）と、
前記第１規制部と前記第２規制部との間に生じる衝撃を緩和する第２衝撃緩和手段（例えば、第２弾性部材３３５Ｌ，３３５Ｒ）と、（例えば、図８及び図９参照）
複数の電子部品（例えば、駆動機構９０２０１（各種モータ）、ソレノイド、センサ、第２ランプ部９０２０２、第３ランプ部９０２０３、第４ランプ部９０２０４、第５ランプ部９０２０５等）を制御する制御手段（例えば、演出制御用ＣＰＵ９０１２０、ＶＤＰ９０１２３Ａ、専用ＩＣ等）と、
前記制御手段から出力される制御信号に基づいて、前記電子部品を駆動させるための駆動信号を出力する出力手段（例えば、シリアル・パラレル変換ＩＣ９０９１Ｂ〜９０９５Ｂ等）とを備え、
前記出力手段は、制御信号の入力を受けて（例えば、図２７の時刻ｔ１）から所定期間（例えば、図２７の所定期間Ｔ）経過後に駆動信号の出力を停止する停止手段（図２７：タイムアウト機能）を含み、
前記制御手段は、制御信号を出力し前記所定期間を越えて前記電子部品を継続して駆動させる場合、再び制御信号を出力してから前記所定期間が経過するまでの間（例えば、時刻ｔ１から所定期間Ｔが経過するまでの間）に、該制御信号を出力し、
前記出力手段は、入力を受けた制御信号を他の出力手段に出力することが可能であり、
前記出力手段が入力を受けた制御信号を前記他の出力手段に出力するときの出力状態を、所定態様により波形が立ち上がる第１出力状態と、該第１出力状態よりも緩やかな変化態様により波形が立ち上がる第２出力状態とのいずれかの出力状態に設定可能であり、当該出力手段と同一基板内に前記他の出力手段が設けられている場合には、前記第２出力状態に設定されていることを特徴としている。
また、他の遊技機は、
遊技が可能な遊技機であって、
第１位置と該第１位置とは異なる第２位置との間で移動可能な移動体と、
前記移動体が前記第１位置から前記第２位置へ移動したときに該移動体の前記第１位置と反対側への移動を規制する第１規制部と、
前記第１規制部により前記移動体の移動が前記第２位置にて規制されたときに該移動体の前記第１位置と反対側への移動を前記第１規制部を介して規制する第２規制部と、
前記移動体と前記第１規制部との間で生じる衝撃を緩和する第１衝撃緩和手段と、
前記第１規制部と前記第２規制部との間に生じる衝撃を緩和する第２衝撃緩和手段と、
複数の電子部品を制御する制御手段と、
前記制御手段から出力される制御信号に基づいて、前記電子部品を駆動させるための駆動信号を出力する出力手段とを備え、
前記出力手段は、制御信号の入力を受けてから所定期間経過後に駆動信号の出力を停止する停止手段を含み、
前記制御手段は、制御信号を出力し前記所定期間を越えて前記電子部品を継続して駆動させる場合、該制御信号を出力してから前記所定期間が経過するまでの間に、再び制御信号を出力し、
前記出力手段は、入力を受けた制御信号を他の出力手段に出力することが可能であり、
前記出力手段が入力を受けた制御信号を前記他の出力手段に出力するときの出力状態を、所定態様により波形が立ち上がる第１出力状態と、該第１出力状態よりも緩やかな変化態様により波形が立ち上がる第２出力状態とのいずれかの出力状態に設定可能であり、当該出力手段が設けられている基板と配線部材を介して接続された他の基板に前記他の出力手段が設けられている場合には、前記第１出力状態に設定されていることを特徴としている。
上記構成によると、移動体を第２位置において２つの規制部により好適に規制できるとともに、規制により生じる衝撃を、第１規制部と第２規制部との２箇所にて第１衝撃緩和手段及び第２衝撃緩和手段により分散して緩和できるので、衝撃による負荷が移動体や一の規制部に集中して破損したりすることを抑制することができる。また、電子部品の動作不具合を回避することができるため、電子部品をより安定して制御することができる。